(57)【要約】　　　（修正有）【課題】ネットワークを用い、人手を介さず金銭的にも労力的にも負担を削減し懸賞金を付けることによって、広く一般に浸透する事件解決システムを提供する。【解決手段】依頼人は本システム管理者と電子契約を結んで懸賞金支払いの義務を明確化し、依頼者事件記入フォーマットに、不正利用防止のための対象との関係１０や、応募情報ランク２０を入力し、捜査人はホームページ画面上、自分の欲しい情報の条件を設定してその条件に合ったデータを抽出し、事件が解決し依頼者が事件の抹消入力をするとそれが当該応募情報入力者とマイページにクリッピングした捜査人全員に自動的に事件解決のメールが送られるようにし、又データベース上の当該データにチェックが入り解決した事が判るようにした。【選択図】　図２
2004078857.tif 000002
【特許請求の範囲】
【請求項１】
依頼人は依頼事件入力時に本システム管理者と電子契約を結ぶ。電子認証による本人確認がある公的に認められた電子契約書がありそれには日付、期間、時間、金額が入っている懸賞金付事件解決システム。
【請求項２】
依頼者が掲載料を支払い（掲載料徴収はカード決済又は、インターネットバンキングで行う。）捜査人は使用料無料とする懸賞金付事件解決システム。
【請求項３】
依頼人の事件入力と応募者の応募情報入力はＰＣと携帯端末でもまったく同様に出来るようにした懸賞金付事件解決システム。
【請求項４】
本システムの特徴である携帯端末の依頼者事件入力及び応募情報入力はサーバーよりパーツに分けた本システム携帯端末用のフォーマットをダウンロードし入力及び送信後ＰＣ画面上と同一部分に再構築され、入力フォーマットは文字情報だけではなく写真、映像、音声等を持つ懸賞金付事件解決システム。
【請求項５】
依頼者の依頼事件入力時、対象との関係を入力させる懸賞金付事件解決システム。
【請求項６】
依頼人により応募情報ランクを設定できる懸賞金付事件解決システム。
【請求項７】
ホームページ上に事件に対する情報が寄せられる時、それは依頼者が情報のレベル設定をしていた物にあわせデータの重要度をより鮮明に出来る様にソートしている懸賞金付事件解決システム。
【請求項８】
情報にのみ懸賞金を付けているにではなく、物、人に１番のプライオリティーを置き情報は２番目のプライオリティーとしている懸賞金付事件解決システム。
【請求項９】
捜査人がホームページ上で、事件データを抽出し更にクリッピング（データを抽出し自分専用の格納場所に保管する行為を言う）により選別したデータをサーバー上自分のマイページ（自分専用の格納場所）に格納できる懸賞金付事件解決システム。
【請求項１０】
捜査人のマイページに格納された依頼者の事件情報のヒット数を記録・カウントすることが出来る懸賞金付事件解決システム。
【請求項１１】
捜査人はホームページ画面上、自分の欲しい情報の条件を設定しその条件に合ったデータを抽出し見ることが出来る懸賞金付事件解決システムシステム。
【請求項１２】
請求項１１条件を登録しておけば定期的（毎日，１週間，１ヶ月）に条件に合ったデータを電子メール等で送れる様に設定できる懸賞金付事件解決システムシステム。
【請求項１３】
事件が解決し依頼者が事件の抹消入力をするとそれが当該応募情報入力者とマイページにクリッピングした捜査人全員に自動的に事件解決のメールが送られるようにし、又データベース上の当該データにチェックが入り解決した事が判るようにした懸賞金付事件解決システムシステム。
【請求項１４】
捜査人の応募情報がレベル１（三ツ星）以上又は引渡しに出来る状態になった時点では依頼者の条件変更はできない様になっている懸賞金付事件解決システム
【請求項１５】
解決時間を自動的に記録する懸賞金付事件解決システム
【請求項１６】
人捜し又は探し物を依頼する会員と探し物を手伝う会員との会員間の懸賞金付事件解決システム
【発明の詳細な説明】
【０００１】
【発明の属する技術分野】
本発明は、事件が発生した場合インターネット等の通信ネットワークを用いて短時間に、効率よく、事件を解決するシステムに関する。
【０００２】
【従来の技術】
現在、刑事事件の犯人捜しは交番のポスターを利用しており、尋ね人は新聞の尋ね人欄を利用したり、インターネット等で掲示するのが一般的です。新聞の尋ね人広告の場合２行で２万円程度の費用がかかりますが見つかる事を保証する物ではありません。一方、ペット探しは街頭の張り紙を利用していますが時間と労力を要します。また落し物、盗難物は駅或いは警察にとどけて捜してもらうのが通常です。しかし、これも手続きと時間に労力を要します。
【０００３】
【発明が解決しようとする課題】
従来、情報をほしがる依頼者が情報を提供した者に報奨金を与える発明が幾つか考案された。例（家出人情報、探し物情報，混雑時の抜け道情報等）が技術的、論理的に可能であっても広く一般に浸透するシステムではなかった。
その原因を考えて見ると何処で見たと言った情報は確認をとるのは難しく常に移動するものも有るので他人にそれを立証するのが難しい。よって結局事件自体は解決していない。
【０００４】これらの事柄を事件ととらえるならば犯人、家出人、犬猫の行方不明、捜し物等は、情報それのみでは事件の解決に繋がらない。最終的な解決とするには依頼者に人又は物を引き渡すことが出来る状況になって事件が解決する。なぜかとゆうと人犬猫とう動物は移動するものであり情報の提供を受けても事件が解決せず依頼者と情報提供者が１対多の関係になり報奨の対象が曖昧になる。
【０００５】近年の未解決事件の増加、グローバル化により、犯人の国外逃亡などを想定すると、従来の印刷物等による交番などの張り紙では時間的に手遅れに成る事も考えられる。
【０００６】依頼者とサーバー管理者との間で契約書を交わしていない為に責任と権利の所在が曖昧になっていた
【０００７】情報の中には勘違いによるも情報、デマの情報、確認不能の情報と無価値な情報が混在している。情報自体にレベルを設定し懸賞金を支払うのはむずかしい
【０００８】今までのシステムは事件解決後の最終終了が曖昧であり、ただ情報を送るだけの物であったり、又どの情報が事件解決に結びついたのか識別が出来ない物であった。
【０００９】最終的に事件解決後、他者に通知していない為にトラブルを回避できないシステムであった。
【００１０】現状、事件等の他大衆への告知は地域的に限定され時間的に長時間かかっている。なおかつ金銭的にも労力的にも負担が大きい。
【００１１】
【課題を解決するための手段】上記の目的を達成する為になされた本願発明は以下の通りである。
【００１２】解決者が複数いて優先権を主張した場合情報を先に送った者が優先権を得る事とする。
いったん事件が解決した後も情報が継続的に流れ、トラブルの原因にもなりうる。そこで依頼者は、事件解決後、事件を抹消すると直ちに事件終了のメールを送りデータベース上で瞬時に事件解決の通知が見られる。このシステムにより捜査人は探し物を捕まえる又は確保する時に事件が未解決か、すでに解決しているのか識別が出来る。
【００１３】ＰＣ入力は図９の様に画面に入力し携帯端末は▲１▼▲２▼▲３▼▲４▼▲５▼▲６▼▲７▼をばらばらのフォーマットに分割しサーバーよりダウンロードして鎖の様に繋がってダウンロードされておりそれに全て入力してメールで送るとサーバーに送られた時にはそれぞれＰＣ画面と同じ位置に入力されるシステム
【００１４】本システムにおいては最終的に事件を解決した者が懸賞金を得る事になる。例を上げるならば、犬猫等を捕まえた者、案件紛失物を見つけ確保している者又、犯罪者などの場合は自分が何処かに閉じ込める事は難しいであろうから、警察又は他者から本人が事件解決に重要な貢献をした事を立証できることなどを要件とする。
【００１５】データに事件解決チェックが入っていない事を確認し捜査人はこの案件が解決されていない事を知って捕まえることが出来る。
【００１６】
【発明の実施の形態】図１は、本発明の実施の形態に係る「懸賞金付事件解決システム」の概略を示す説明図である。なお、以下「懸賞金付事件解決システム」において、依頼者とは事件解決をしたい登録している会員、捜査人とは依頼者からの依頼事件を解決しょうとする登録している会員を指している。
【００１７】依頼者はホームページのトップページ図１依頼者基本登録ボタンより基本情報を入力し送信する事によって会員に登録され会員ＩＤを得る。以後の操作は会員ＩＤを入力する事によって行われる。
【００１８】依頼事件がある場合、依頼者事件入力ボタンより会員ＩＤを入力し電子契約書を作成後、事件を入力する。図２この時、図９ＰＣ画面か携帯端末かを選択できそれぞれのフォーマットをダウンロードし入力後（この時依頼者は情報レベルを設定できる）送信する。
【００１９】捜査人はホームページのトップページの捜査人基本登録ボタンより基本情報と同意書に同意する旨を入力し送信する事によって会員に登録され会員ＩＤを得る。以後の操作は会員ＩＤ入力する事によって行われる。
【００２０】捜査人の事件情報の取得は会員ＩＤ入力後、懸賞事件検索ボタンより入り検索条件入力後図４、その条件により抽出されたデータが得られるその中で図６捜査人が関心のある事件をクリッピングでき本人マイページに格納する。
【００２１】捜査人の応募情報の送信は応募情報入力ボタンより入り、ＰＣ画面図５か携帯端末かを選択できそれぞれのフォーマットをダウンロードし入力後、送信する。
【００２２】依頼者には事件入力時に設定したレベル１の情報は電子メール等によって通知される。又他のレベルを設定した場合は応募情報検索ボタンより入り会員ＩＤと事件パスワードを入力する事よりそれぞれのレベルにソートされた当該事件の情報図７を見ることが出来る。
【００２３】依頼者は事件終了後、依頼事件終了ボタンより入力すると図１０当該応募情報送信者とマイページに格納した捜査人に事件終了メールが送られる。情報データベースに当該事件終了の表示が入り一定期間後データが削除される。
【００２４】図１０依頼者のクレジット口座又は金融機関の口座より引き落とし、懸賞金獲得捜査人に振り込みをする。支払いにおいては供託金をする事もあり得る。是により事件が終了し一連のワークフローが終わる。
【００２５】
【実施例】
例をあげると、サラリーマンが、夜、８時ごろ帰宅中に電車の中にカバンを忘れた。このカバンの中には翌日午前１１時に使う重要書類が入っていた。現状では、駅に問合せると駅の遺失物に届くのが３，４日かかる。しかし、依頼者は翌日午前１１時までに書類が入ったカバンが欲しい。この場合、本システムにおいて、依頼者登録をすると自動的に会員ＩＤを電子メール等で送付。この会員ＩＤで依頼者事件入力画面より入り契約書を作成後。事件の入力を金額と期間を翌日８時までに解決した者に１万円、翌日中に解決した者に五千円、それ以降は千円等の様に設定した後に捜査の依頼をする。これは自動的にホームページ上に事件の掲載が出来るのでそれを見た捜査人は捜査を開始。その中でカバンを見つけた捜査人がインターネット等の電子メール等でカバンと受渡方法を通知し受渡。事件解決後、応募情報を送ってきた捜査人に事件解決の通知、マイページに格納した捜査人に事件解決の通知、データベース上の当該データに解決チェックを入れる。依頼者のクレジット口座又は金融機関の口座より懸賞金額を引き落とし、懸賞金獲得捜査人に振り込みをする。是により事件が終了し一連のワークフローを終える。
【００２６】
【発明の効果】
本発明によれば、懸賞金を付けることにより事件発生から解決までの時間を短縮でき又現在の未解決事件を減少させることが可能となる。
【００２７】契約書を作る事により従来考えられていたシステムの金銭授受などのトラブルを回避することが可能となる。
【００２８】従来考えられていたシステムでは、目的物が見つかっているにもかかわらず情報提供があり又捜査人の事件解決行為が継続されたがこのシステムによりそのような無駄な行為がなくなる。是により捜査人は解決済みの事件にかける労力を削減することが可能となる。
【００２９】探して欲しい物が発生した場合短時間に広く情報を公開することが出来、依頼者の心理的不安を取り除くことが可能となる。
【００３０】依頼者は事件解決に対し自分の納得できる金額が設定できる。又見つからない場合金銭的な負担はなくなる。
【００３１】捜査人は最近の失業率の上昇により就職できなくても臨時の収入を得る事が可能となる。
【００３２】公的機関は事件解決に対し金銭的な報奨をするのが難いがそれをおぎなう機関として活用できる。
【図面の簡単な説明】
【図１】本発明の実施形態に係る懸賞金付事件解決システムの概要を示す説明図。
【図２】同実施形態のサーバー側端末のホームページで依頼者が事件内容を入力する為の画面を示した図
【図３】同実施形態の依頼者が捜査人からの情報を見る為の設定入力画面図。
【図４】同実施形態の捜査人が依頼者からの事件データを抽出する為の入力画面を示した図。
【図５】捜査人が事件解決情報をサーバー側に送信する場合の入力画面を示した図。
【図６】図４において抽出された事件データを表示した画面図、この各事件番号をクリックする事により更に詳細な情報画面に飛ぶことが出来る。
【図７】図３において抽出された応募情報データを表示した画面図、この各情報番号をクリックする事により更に詳細な情報画面に飛ぶことが出来る。
【図８】同実施形態のシステムの構成概要を示した図。
【図９】同実施形態において依頼事件入力システムにおける入力フロー図（ＰＣ画面入力と携帯端末入力に分岐されている）
【図１０】同実施形態において事件解決までと後の処理を示したフロー図。
【符号の説明】
１０、捜査対象との関係を入力するボックス
２０、応募情報レベルを設定するボックス
２１、２０により入力されたデータの表示
３０、請求項１２の設定ボックス
４０、依頼者が設定したレベルを入力するボックス
５０、データをクリッピングするボタン
６０、事件詳細情報に飛ぶ為の事件番号
６１、応募詳細情報に飛ぶ為の情報番号
７０、電子契約書入力処理
８０、入力端末をＰＣにするか携帯にするかの分岐
９０、応募情報送信者に事件終了メール送信処理
９１、マイページに格納した捜査人に事件終了メール送信処理
９２、事件情報データベースに事件終了の表示を入る処理
９３、一定期間後データ削除処理
９４、当該依頼人より懸賞金を引き落とし処理
９５、当該捜査人に懸賞金を振り込み処理
【図１】
2004078857.tif 000003
【図２】
2004078857.tif 000004
【図３】
2004078857.tif 000005
【図４】
2004078857.tif 000006
【図５】
2004078857.tif 000007
【図６】
2004078857.tif 000008
【図７】
2004078857.tif 000009
【図８】
2004078857.tif 000010
【図９】
2004078857.tif 000011
【図１０】
2004078857.tif 000012